(57)【要約】【課題】  柔軟体５の装着が容易な防虫効果の高い天井用照明器具の製造方法を提供する。【解決手段】  水平に配置されるほぼ平板状の器具本体１を備える。前記器具本体１の下面側に回転引掛け式に着脱自在に装着される円形かつ椀状の透光カバー６を備える。前記透光カバー６は合成樹脂によって圧空成形されたものである。前記器具本体１の周囲に下向きに折れ曲がる下折縁２を形成する。前記透光カバー６の周囲に外向きに延在する鍔部７を形成する。前記透光カバー６に前記鍔部７の内周縁に連接しそこから垂直に立ち下がる垂直面部８を形成する。前記垂直面部８に柔軟体５を装着する。前記柔軟体５は帯条を呈しかつ垂直面部８に沿った輪状を呈するものである。前記柔軟体５は前記垂直面部８に接着される基部９と該基部９に植毛された毛様部１０を具備する。前記器具本体１の下折縁２に前記柔軟体５における前記毛様部１０を接触させる。  予め前記基部９の両端を接続して前記柔軟体５を予め輪状となし、図３のようにする。しかる後に輪状の前記柔軟体５を前記垂直面部８の外周に装着する。【選択図】    図３
2006012756.tif 000002
【特許請求の範囲】
【請求項１】
水平に配置されるほぼ平板状の器具本体を備え、前記器具本体の周囲にそこから下向きに折れ曲がる下折縁を形成し、前記器具本体の下面側に回転引掛け式に着脱自在に装着される円形かつ椀状の透光カバーを備え、前記透光カバーの周囲に外向きに延在する鍔部を形成し、前記透光カバーに前記鍔部の内周縁に連接しそこから垂直に立ち下がる垂直面部を形成し、前記垂直面部に柔軟体を装着し、前記柔軟体は帯条を呈しかつ前記垂直面部に沿った輪状を呈するものであり、前記柔軟体は前記垂直面部に装着される基部と該基部に植毛された毛様部を具備するものであり、前記柔軟体における前記毛様部を前記器具本体の前記下折縁に圧接させる天井用照明器具において、
前記基部の両端を接続して前記柔軟体を予め輪状となし、しかる後に輪状の前記柔軟体を前記垂直面部の外周に装着することを特徴とする天井用照明器具の製造方法。
【発明の詳細な説明】
【技術分野】
【０００１】  本発明は、水平に配置されるほぼ平板状の器具本体を備え、前記器具本体の下面側に回転引掛け式に着脱自在に装着される円形かつ椀状の透光カバーを備えた天井用照明器具に関し、特にその製造方法に関するものである。
【背景技術】
【０００２】  回転引掛け式では、天井面に装着されている器具本体に対して、透光カバーを下側から押し当て、たとえば右回りに回して両者を着脱自在に装着する。いわば押し回しの要領である。透光カバーを外す場合は逆に左回りに回す。
大形部品となることの多い透光カバーを両手で持ち上げながら押し回しをする作業は困難である。押し回しの際の器具本体・透光カバー間の摩擦力は少ないことが望ましいが、これは簡単ではない。その一つの理由は透光カバー（例：圧空成形品）の板厚にばらつきが生ずるためである。また、器具本体とこれに装着された透光カバーとの間に過度の隙間（あそび）があると、そこを介して内部に虫が侵入するため、器具本体と透光カバーの接する部位に摩擦抵抗の少ない柔軟体を装着し、隙間（あそび）を無くしている。
【発明の開示】
【発明が解決しようとする課題】
【０００３】  本発明の目的は、防虫のための柔軟体の装着が容易な天井用照明器具の製造方法を提供することである。
【課題を解決するための手段】
【０００４】  本発明においては、透光カバーの周囲に外向きに延在する鍔部の内周縁に連接しそこから垂直に立ち下がる垂直面部に帯状かつ輪状の柔軟体を装着する。その際に次のようにする。前記柔軟体を予め輪状となし、しかる後に輪状の前記柔軟体を前記垂直面部の外周に装着する。
【発明の効果】
【０００５】  本発明によれば、柔軟体の装着が容易になり、安価な天井用照明器具を提供することが可能となる。
【発明を実施するための最良の形態】
【０００６】  図１〜図３を用いて本発明の実施形態について説明する。まず、本発明の前提となる天井用照明器具について説明し、その後に本発明の製造方法について述べる。図１〜図３の天井用照明器具は、水平に配置されるほぼ平板状の器具本体１を備える。前記器具本体１の下面側に回転引掛け式に着脱自在に装着される円形かつ椀状の透光カバー６を備える。前記透光カバー６は合成樹脂によって圧空成形されたものである。前記器具本体１の周囲に下向きに折れ曲がる下折縁２を形成する。前記透光カバー６の周囲に外向きに延在する鍔部７を形成する。前記透光カバー６に前記鍔部７の内周縁に連接しそこから垂直に立ち下がる垂直面部８を形成する。前記垂直面部８に柔軟体５を装着する。前記柔軟体５は帯条を呈しかつ垂直面部８に沿った輪状を呈するものである。前記柔軟体５は前記垂直面部８に接着される基部９と該基部９に植毛された毛様部１０を具備する。前記器具本体１の下折縁２に前記柔軟体５における前記毛様部１０を接触させる。
３は光源（環状蛍光ランプ）である。４は器具本体１に形成した鉤状の複数のカバー取付具４である。透光カバー６は圧空成形機で成形されるが、その周縁鍔部７に複数の内向きの係合凸部８５を設ける。透光カバー６を垂直軸回りに少し回転させることで、凸部８５がカバー取付具４に着脱自在に保持される。これは回転引掛け式の着脱自在な装着構造である。
説明を補足する。垂直面部８は基部９の装着を容易にする。ちなみに、垂直面部８が傾斜していると、その回りに基部９を巻き付ける作業が難しく、基部９の装着が難しくなるので、よくない。
毛様部１０付近は暗がりとなる。透光カバー６内の光は透光性の垂直面部８を介し、さらに基部９を介して毛様部１０側へ出る。基部９が介在する分だけ、毛様部１０側の光は少なくなる。基部９は光の透過率が３％未満の非透光性であることが望ましい。毛様部１０付近が暗いとその付近に虫が集まり難く、また毛様部１０と下折縁２の間を潜るのが難しいため、透光カバー６内に虫が侵入し難い。
器具本体１・鍔部７間は密着する必要はなく、若干の隙間があっても構わない。毛様部１０・下折縁２間で防虫効果を得られるからである。毛様部１０による摩擦は小さい。このため、回転引掛けの際の回転がスムーズとなり、操作性が向上する。
以上のようにすれば、柔軟体５の装着が容易であって、回転引掛けの操作が容易で、防虫効果の高い天井用照明器具が得られる。
本発明においては、前記基部９の両端を接続して前記柔軟体５を予め輪状となし、図３のようにする。しかる後に輪状の前記柔軟体５を前記垂直面部８の外周に装着する。基部９の両端の接続はたとえば接着剤を利用してなされる。輪状となった後に柔軟体５を垂直面部８外周に掛け、柔軟体５をその弾力性に抗して引伸ばしながら垂直面部８外周に装着する。これらの一連の作業は容易であり、効率的に行える。特に組み立てラインでは後者の垂直面部８外周に柔軟体５を装着する工程を実行すればよいので、能率的となる。
【図面の簡単な説明】
【００１０】
【図１】本発明に係る天井用照明器具の分解斜視図
【図２】その要部断面図
【図３】その透光カバーと柔軟体との分解断面図
【符号の説明】
【００１３】１：器具本体
２：下折縁
３：光源
４：カバー取付具
５：柔軟体
６：透光カバー
７：鍔部
８：凸部
９：基部
１０：毛様部
【図１】
2006012756.tif 000003
【図２】
2006012756.tif 000004
【図３】
2006012756.tif 000005